(57)【特許請求の範囲】
【請求項１】
外部から受熱して作動液を蒸発させる蒸発部と、
外部に放熱して前記作動液の蒸気を凝縮させる第１の凝縮部と、
前記蒸発部からの蒸気が通る蒸気管側で前記第１の凝縮部と直列に連結され、外部に放熱して前記作動液の蒸気を凝縮させる第２の凝縮部と、
前記第２の凝縮部の入口または出口に設けられた管の内部に設置され、前記設置された箇所の温度が相転移温度より低い場合に前記作用液を吸収し膨張することで前記管を閉じた状態とし、前記相転移温度以上の場合に収縮して前記作用液を放出することで開いた状態とすることで蒸気の通過量を制御する樹脂の部材を用いた蒸気通路開閉機構と、
前記作動液の蒸気を前記第２の凝縮部をバイパスし前記第１の凝縮部に送るバイパス管と、
を有することを特徴とするループ型ヒートパイプ。
【請求項２】
前記蒸気通路開閉機構に用いる部材は、前記相転移温度を境に膨張または収縮する温度応答性高分子を含むことを特徴とする請求項１に記載のループ型ヒートパイプ。
【請求項３】
前記蒸気通路開閉機構に用いる部材は、前記作動液に溶解しない材料からなる支持層と、前記温度応答性高分子からなる吸収層とが複数積層された構造を有することを特徴とする請求項２に記載のループ型ヒートパイプ。
【請求項４】
前記温度応答性高分子は、ポリＮ−置換アクリルアミド、ポリＮ−置換メタクリルアミド、ポリＮＮ−２置換アクリルアミド、ポリＮＮ−２置換メタクリルアミド、及びポリビニルエーテルの何れかの単独重合体、又はこれらの共重合体よりなることを特徴とする請求項２または３に記載のループ型ヒートパイプ。
【請求項５】
請求項１乃至４のいずれかに記載のループ型ヒートパイプを搭載した電子機器であって、外部に放熱して作動液の蒸気を凝縮させる凝縮部が、熱を発生する電子部品と熱的に接続されていることを特徴とする電子機器。
【発明の詳細な説明】
【技術分野】
【０００１】
本発明は、ループ型ヒートパイプ及び電子機器に関する。
【背景技術】
【０００２】
近年、コンピュータ等の電子機器の発熱量及び発熱密度が増加し、冷却性能の向上が求められている。そのため、ヒートシンクを冷却ファンの近傍等の冷却に適する場所に配置し、ＣＰＵ（Central Processing Unit ）等の発熱量の大きな電子部品とヒートシンクとをヒートパイプで熱的に接続して冷却する方法が広く用いられている。
【０００３】
従来、ヒートシンクと電子部品とを熱的に接続するヒートパイプとしては、構造が簡単な単管型ヒートパイプが利用されてきた。しかし、単管型ヒートパイプの熱輸送能力は３０〜５０Ｗ程度と低く、電子機器の冷却を行うのに十分ではない。
【０００４】
一方、ループ型ヒートパイプ（Loop Heat Pipe：ＬＨＰ）は単管型ヒートパイプに比べて熱輸送能力が優れることから、電子機器への搭載を目指した開発が進められている。
【０００５】
図６に示すように、ＬＨＰ１０は、作動液（液相の作動流体）を蒸発させる蒸発部１２と、蒸気（気相の作動流体）を凝縮させる凝縮部１４と、蒸発部に供給する作動液を一時的に貯留する補助チャンバ１１とを備えている。蒸発部１２と凝縮部１４とは蒸気を導く蒸気管１３で接続され、凝縮部１４と補助チャンバ１１とは作動液を導く液管１５で接続される。また、蒸発部１２の内部には、液管１５と連通した作動液流路と蒸気管１３と連通した蒸気流路とを隔てるウィック１７と呼ばれる多孔質部材が設けられている。このウィック１７は、作動液流路の作動液を毛細管力で吸い上げて蒸気流路側に輸送する機能と、蒸気流路の蒸気が作動液流路側に逆流するのを防ぐ機能とを有し、蒸発部１２と凝縮部１４との間で作動液を循環させている。
【先行技術文献】
【特許文献】
【０００６】
【特許文献１】特開２００９−１６８２７３号公報
【特許文献２】特開２００９−１１５３９６号公報
【特許文献３】特開２００２−３４０４８９号公報
【発明の概要】
【発明が解決しようとする課題】
【０００７】
しかしながら、電子計算機のＣＰＵは計算の負荷を変えて稼働するため、ＬＨＰの凝縮部は、発熱量に対応した放熱面積が必要となる。従来のＬＨＰでは、最大発熱量を放熱できるように凝縮部の放熱面積を設計しているため、発熱量が小さい場合、蒸気管に近い側で凝縮が起こり、作動流体の流動抵抗が大きくなって循環が止まる結果、ＬＨＰが動作しなくなるという問題を抱える。
【０００８】
そこで、上述した問題を解決するため、本発明では、発熱量に変動があっても安定に動作し、熱輸送能力に優れたループ型ヒートパイプを提供する。
【課題を解決するための手段】
【０００９】
本発明の一つの態様によれば、外部から受熱して作動液を蒸発させる蒸発部と、外部に放熱して前記作動液の蒸気を凝縮させる第１の凝縮部と、前記蒸発部からの蒸気が通る蒸気管側で前記第１の凝縮部と直列に連結され、外部に放熱して前記作動液の蒸気を凝縮させる第２の凝縮部と、前記第２の凝縮部の入口または出口に設置され、所定温度に応じて蒸気の通過量を制御する蒸気通路開閉機構と、前記作動液の蒸気を前記第２の凝縮部を通過させずに前記第１の凝縮部に送るバイパス管と、を有することを特徴とするループ型ヒートパイプに関する。
【発明の効果】
【００１０】
本発明によれば、凝縮部を直列に分割した、蒸気管側の凝縮器の入口または出口に温度可変の開閉バルブを設置することによって、冷却対象である電子部品の温度が低い場合にも、安定に動作し、熱輸送能力に優れたループ型ヒートパイプが実現される。
【図面の簡単な説明】
【００１１】
【図１】本発明の実施の形態になるループ型ヒートパイプの基本構成とその動作を説明する図である。
【図２】本発明の実施の形態になる分断凝縮部の前後の蒸気通路に設置する高分子バルブの構成とその挙動を説明する図である。
【図３】本発明の実施の形態になる高分子バルブ開度と発熱量の関係を示す図である。
【図４】本発明の実施の形態になるループ型ヒートパイプの構造と主要部の構造（断面図）を示す図である。
【図５】本発明の実施の形態になるループ型ヒートパイプを搭載した電子機器を示す図である。
【図６】従来のループ型ヒートパイプの構成例を示す図である。
【発明を実施するための形態】
【００１２】
以下、本発明の実施形態について図面を参照して説明する。
【００１３】
図１は、本発明のループ型ヒートパイプの基本構成とその動作を説明する図である。ループ型ヒートパイプ１０は、外部から受熱して作動液を蒸発させる蒸発部１２と外部に放熱して前記作動液の蒸気を凝縮させる凝縮部１４とを有する。
【００１４】
また、ＬＨＰ１０は、蒸発部１２に供給する作動液を貯留する補助チャンバ１１と、蒸発部１２で発生した作動液の蒸気を凝縮部１４に導く蒸気管１３と、凝縮部１４で凝縮された作動液を補助チャンバ１１に導く液管１５を有する。また、蒸気管１３は、その蒸気管内に配置され、補助チャンバ１１と連通した作動液流路と、蒸気管１３と連通した蒸気流路とを隔てる多孔質材料よりなるウィック１７を有する。
【００１５】
さらに、凝縮部１４は、直列に複数分割された分割凝縮部１４ａ、１４ｂと、蒸気管１３に近い側の凝縮部（１４ａ）の前後に設置され、作動蒸気液通路の開閉を行う高分子バルブ３０と、分割凝縮部１４ａへの入力を遮断された蒸気をバイパスするバイパス管３１を有する。なお、凝縮部１４、および分割凝縮部１４ａ、１４ｂは、図示していないが、内部に凝縮管１３や液管１５と同一径の管と該管の周りに該管を冷却する放熱フィンとを有する構造となっている。さらに、該放熱フィンに送風して冷却する冷却ファン（図にない）を凝縮部近傍に備えている。
【００１６】
高分子バルブ３０には、所定温度よりも低い温度になると蒸気液を吸収して膨張して蒸気通路を閉じ、所定温度よりも高い温度になると収縮して蒸気通路を開くような高分子材料が適用される。なお、分割凝縮部１４ａの後方部のバルブは逆流を防止するためのものである。なお、実施例では、凝縮部１４は２つに分割された例で示しているが、複数個に分割されてもよい。
【００１７】
以下に、本発明のループ型ヒートパイプの動作原理について述べる。
【００１８】
発熱量が小さい時（または動作開始時）、高分子バルブ３０は「閉」状態となり、蒸気が分割凝縮部１４ａのバイパス管３１を通過し、凝縮部１４ｂにおいて液化される。一方、発熱量が大きい時、高分子バルブ３０は「開」状態となり、分割凝縮部１４ａと分割凝縮部１４ｂの両方において液化される。
【００１９】
なお、バルブ「開」のときに流体が凝縮部へ流れる条件として、バイパス管３１と分割凝縮部１４ａの圧損抵抗の大小関係を、
バイパス管の抵抗＞凝縮部の抵抗
の関係を満たすようにすれば、流体は分割凝縮部１４ａを通過することとなる。
【００２０】
実施例では、バイパス管３１（内径ｄ１）と分割凝縮部１４ａの流路管（内径ｄ２）の内径は、それぞれｄ１＝２ｍｍ、ｄ２＝４ｍｍ、また、バイパス管３１の長さは、分割凝縮部１４ａの流路管の長さに比べて３倍以上としている。
【００２１】
また、高分子バルブ３０に用いる材料は、温度に対して緩やかに縮んでいく性質のある温度応答性の高分子を適用するのが好ましい。
【００２２】
以上、凝縮部を直列に分割し、蒸気管に近い側の分割凝縮部の前後に高分子バルブによる流路の開閉機構とバイパス管を配置することによって、発熱量に応じたループ型ヒートパイプが実現される。
【００２３】
図２は、本発明の分割凝縮部の前後の蒸気通路に設置する高分子バルブの挙動を説明する図である。図２（ａ）は、高分子バルブの構成例を示し、図２（ｂ）は、高分子バルブに適用する温度応答性高分子の挙動を示している。
【００２４】
図２（ａ）に示すように、高分子バルブ３０は、枠体４０に取り付けられた吸収層（温度応答性高分子）３０ａと支持層３０ｂを有し、蒸気管１３から凝縮部１４に流れる蒸気の通過を制御する。
【００２５】
支持層３０ａは、作動液１６に対する化学反応性及び溶解性が低い材料、例えば、ポリプロピレン製の不織布等よりなる。なお、支持層３０ａの材料は、これに限定されるものではなく、例えば、白金、白金黒、金、パラジウム、ロジウム、銀、水銀、タングステン及び銅の何れか又はこれらの合金等の金属材料、グラファイト及びカーボンファイバー等の炭素材料、単結晶シリコン、アモルファスシリコン、炭化ケイ素、酸化ケイ素、窒化ケイ素及びＳＯＩ（シリコン・オン・インシュレータ）等の半導体材料、ガラス、石英ガラス、アルミナ、サファイア、各種セラミクス、フォルステライト及び感光性ガラス等の無機材料、並びに各種高分子材料を用いることができる。
【００２６】
また、吸収層３０ｂは、所定の相転移温度よりも低い温度で作動液を吸収して膨張するとともに、その相転移温度よりも高い温度で作動液を放出して収縮する樹脂材料からなる。ここでは、吸収層３０ｂには、温度によって作動液の吸収及び放出を行う温度応答性高分子の一種であるポリＮ−イソプロピルアクリルアミドを用いている。
【００２７】
吸収層３０ｂは、作動液に溶解して消失するのを防ぐために、支持層３０ａの表面で化学的に結合させている。支持層３０ａとして高分子材料を用いる場合には、支持層３０ａの表面と吸収層３０ｂを構成する高分子とをグラフト結合させている。
【００２８】
図２（ｂ）は、冷却すべき対象物（ＣＰＵ等）の温度が低い場合、冷却すべき対象物の温度が高い場合に、バルブとして適用する温度応答性高分子の膨張・収縮による作動流体のそれぞれの状態を模式的に示したものである。
【００２９】
図２（ｂ）に示すように、冷却対象物が低温にあるときは、高分子鎖が膨潤し、バルブが閉じ状態となり、蒸気がバイパス管３１を通過し、高温にあるときは、高分子鎖が収縮し、バルブが開状態となり、蒸気が複数の凝縮部を通過することとなる。すなわち、ＬＨＰ１０動作時に凝縮器の温度が上がり、高分子が所定温度（＝相転移温度）以上で収縮する性質を利用して凝縮部前後のバルブ開閉を行うことによって、発熱量が異なる場合のＬＨＰ１０を安定に動作させることが可能となる。
【００３０】
高分子バルブ３０は、所定の相転移温度よりも低い温度で作動液を吸収して膨張する一方、その相転移温度よりも高い温度で作動液を放出して収縮する樹脂材料からなる。ここでは、温度によって作動液の吸収及び放出を行う温度応答性高分子の一種であるポリＮ−イソプロピルアクリルアミドを用いている。
【００３１】
ポリＮ−イソプロピルアクリルアミドは、相転移温度が３２℃程度であり、３２℃よりも高い温度では、側鎖のアクリルアミド部分が脱水和して高分子鎖が収縮し、その体積が減少する。また、３２℃よりも低い温度では、側鎖のアクリルアミドの部分が水分を吸収して分子鎖が膨張して、その体積が増加する。
【００３２】
なお、高分子バルブ３０に用いられる温度応答性高分子は、上述の例に限定されるものではなく、例えば、ポリ（Ｎ−置換アクリルアミド）、ポリ（Ｎ−置換メタクリルアミド）、ポリ（Ｎ，Ｎ−二置換アクリルアミド）、ポリ（Ｎ，Ｎ−二置換メタクリルアミド）及びポリビニルエーテル（一部が置換されていてもよい）等を用いることができる。ここで、上述の材料の置換基は、炭素数１〜２０、より好ましくは炭素数１〜６の直鎖又は分岐アルキル基、及び炭素数３〜２０、より好ましくは炭素数３〜１０のシクロアルキル基の何れか１又は複数から選択されるものとする。
【００３３】
より具体的には、ポリ（Ｎ−メチルアクリアミド）、ポリ（Ｎ−エチルアクリルアミド）、ポリ（Ｎ−シクロプロピルアクリルアミド）、ポリ（Ｎ−イソプロピルアクリルアミド）、ポリ（Ｎ−ｎ−プロピルアクリルアミド）、Ｎ−メチル−Ｎ−エチルアクリルアミド、Ｎ−メチル−Ｎ−イソプロピルアクリルアミド、Ｎ−メチル−Ｎ−ｎ−プロピルアクリルアミド、Ｎ，Ｎ−ジメチルアクリルアミド、Ｎ，Ｎ−ジエチルアクリルアミド、ポリ（Ｎ−メチルメタクリルアミド）、ポリ（Ｎ−エチルメタクリルアミド）、ポリ（Ｎ−シクロプロピルメタクリルアミド）、ポリ（Ｎ−イソプロピルメタクリルアミド）、ポリ（Ｎ−ｎ−プロピルメタクリルアミド）、Ｎ−メチル−Ｎ−エチルメタクリルアミド、Ｎ−メチル−Ｎ−イソプロピルメタクリルアミド、Ｎ−メチル−Ｎ−ｎ−プロピルメタクリルアミド、Ｎ、Ｎ−ジメチルメタクリルアミド、Ｎ、Ｎ−ジエチルメタクリルアミド、ポリビニルメチルエーテル及びポリビニルエチルエーテル等を吸収層３０ｂに用いることができる。
【００３４】
また、上記した高分子の単独重合体だけでなく、上記の重合体を構成するモノマーの２種類以上を組み合わせた共重合体や、その他の種類のモノマーと上記した重合体に含まれるモノマーとを組み合わせた共重合体を用いてもよい。また、上記の重合体の何れか１種類を単独で使用してもよいし、複数種類を組み合わせて使用してもよい。
【００３５】
高分子バルブ３０は、以下のようにして作製することができる。ここでは、支持層３０ａとしてポリプロピレン製の不織布を用い、吸収層３０ｂの温度応答性高分子としてポリ−Ｎ−イソプロピルアクリルアミドを支持層３０ａの表面にグラフト結合させる例について説明する。
【００３６】
まず、支持層３０ａとして、例えば平均孔径１０μｍ程度のポリプロピレン製の不織布を用意する。次に、この支持層３０ａの表面にアルゴン雰囲気下でプラズマを照射して支持層３０ａの表面に活性種を発生させる。支持層３０ａの表面に活性種を発生させる方法は、プラズマ照射以外に、放射線照射及び電子線照射等で行ってもよい。
【００３７】
その後、支持層３０ａを、温度が６０℃程度の脱気した３％Ｎ−イソプロピルアクリルアミド水溶液に浸漬する。これにより、支持層３０ａの表面の活性種を開始点として支持層３０ａの上にＮ−イソプロピルアクリルアミドが重合して、支持層３０ａとグラフト結合した吸収層３０ｂが形成される。
【００３８】
次に、支持層３０ａ及び吸収層３０ｂを３％Ｎ−イソプロピルアクリルアミド水溶液から取り出し、例えば水とメタノールとを１：１の割合で混合した洗浄液で洗浄し、真空乾燥する。以上のようにして作製された支持層３０ａ及び吸収層３０ｂを複数積層することで本実施形態の高分子バルブ３０が完成する。
【００３９】
上に説明した支持層３０ａの表面に活性種を発生させる方法に代えて、支持層３０ａの表面に化学的処理を施して反応性を有する官能基を発生させ、その官能基と反応できる官能基を有する温度応答性高分子をグラフト結合させてもよい。この場合、支持層３０ａの表面に発生させる官能基としては、カルボキシル基、アルデヒド基、アミノ基、イミノ基、スルホン酸基、エポキシ基、イソシアネート基、酸クロリド基、ヒドロキシ基、チオール基、及びジスルフィド基等が挙げられる。また、支持層３０ａに化学的処理を施す代わりに、支持層３０ａを上に列挙したいずれかの官能基を有する高分子材料で形成してもよい。
【００４０】
図３は、本発明の高分子バルブの開度と発熱量の関係を示す図である。図３は、高分子バルブ３０としてポリＮ−イソプロピルアクリルアミドを用いた場合のバルブの開閉性能について、横軸に発熱量Ｗ、縦軸にバルブ開度（％）をプロットしたものである。
【００４１】
図３に示すように、発熱量が小さいケースとして、３０Ｗ以下では、高分子バルブ３０の開度は０％、発熱量が大きいケースとして、３０Ｗ以上になると高分子バルブ３０が開き始め、４０Ｗではバルブの開度は５０％、５０Ｗ以上では高分子バルブ３０の開度は１００％となっている。
【００４２】
図４は、本発明のループ型ヒートパイプの構造と主要部の構造（断面図）を示す。図４（ａ）は、ループ型ヒートパイプ１０の全体構成を示し、図４（ｂ）は、蒸発部１２及び補助チャンバ１１の断面構造を示し、および図４（ｃ）は、凝縮部１４の断面構造を示している。
【００４３】
図４（ａ）に示すように、本実施形態のループ型ヒートパイプ１０は、補助チャンバ１１、蒸発部１２、蒸気管１３、凝縮部１４、および液管１５を有し、内部には、作動液１６が飽和蒸気圧の蒸気と共に封入されている。ここでは、作動液１６として水を使用するが、メタノールやエタノール等を使用してもよい。
【００４４】
補助チャンバ１１は、図４（ｂ）に示すように、蒸発部１２に隣接して配置されており、蒸発部１２に供給する作動液１６を一時的に貯留する。
【００４５】
また、蒸発部１２は、ヒートブロック２０、蒸発管２１、およびウィック１７を有している。ヒートブロック２０は、中身の詰まった金属製の箱体である。ヒートブロック２０は、外部から受けた熱をヒートブロック２０全体に拡散させるものである。ヒートブロック２０には電子部品８５がサーマルグリス（図示せず）等を介して接合されている。
【００４６】
また、ヒートブロック２１の中央部には、円筒状の蒸発管２１が収容されている。蒸発管２１は、例えば、銅パイプ等からなり、その内周側に蒸発管２１の中心軸に平行な方向に伸びる複数本の溝状の蒸気流路（グルーブ）２１ａが形成されている。これらの蒸気流路２１ａは、蒸気集束部２３を介して蒸気管１３と連通している。
【００４７】
ウィック１７は、蒸気管１３側の端部が閉塞された管状の多孔質部材であり、その外周面が蒸発管２１の内周面（蒸気流路２１ａを除く）と接触するようにして蒸発管２１内に収容されている。ウィック１７の内周側の空洞部は、作動液流路１７ａとなっており、この作動液流路１７ａは補助チャンバ１１と連通している。なお、作動液流路１７ａは、ウィック１７によって蒸気流路２１ａと隔てられている。
【００４８】
蒸気管１３は、蒸発部１２と凝縮部１４とを接続し、蒸発部１２の蒸発管２１内で発生した蒸気を凝縮部１４に導く。凝縮部１４は、ヒートシンク（図示せず）を備え、このヒートシンクで放熱することで蒸気を凝縮させて作動液１６を生成させる。液管１５は、凝縮部１４と補助チャンバ１１とを接続し、凝縮部１４で生成された作動液１６を補助チャンバ１１に導く。  
【００４９】
凝縮部１４は、図４（ｃ）に示すように、直列に分割され、蒸気管に近い側の分割された分割凝縮部１４ａの前後に温度応答性の開閉バルブとして高分子バルブ３０が設置される。高分子バルブ３０は、所定温度よりも低い温度になると蒸気液を吸収して膨張し、蒸気通路を閉止し、別途設けられたバイパス管３１に蒸気をバイパスさせる。また、所定温度よりも高い温度になると収縮して蒸気通路を開き、分割凝縮部１４ａ、１４ｂを通過させる。このように、高分子バルブ３０は、作動蒸気液通路の開閉機構としての役割りを担う。
【００５０】
さらに、以下、図４（ａ）、（ｂ）、（ｃ）を用いて、本ループ型ヒートパイプ１０の動作を説明する。
【００５１】
電子部品（例えばＣＰＵ）８５に電源を供給すると、熱がヒートブロック２０及び蒸発管２１を介してウィック１７の外周側から伝わり、ウィック１７の外周側で作動液１６が蒸発する。このときウィック１７の空孔は作動液１６で塞がれているため、発生した蒸気はウィック１７の空孔を透過して作動液流路１７ａ側に逆流することができない。ウィック１７の外周側の作動液の蒸発により濃度差が推進力となり作動液流路１７ａ側から液体が供給され、ループ型ヒートパイプ１０内で作動流体の循環が始まり、ループ型ヒートパイプ１０が始動する。
【００５２】
ループ型ヒートパイプ１０の作動中は、作動液１６が液管１５を経て補助チャンバ１１内に流入する。作動液流路１７ａ内に移動した作動液１６は、ウィック１７の毛細管力によってウィック１７の外周側に運ばれ、ヒートブロック２０を介して加熱されることでウィック１７の外周側で蒸発する。ウィック１７の外周側で発生した蒸気は蒸気流路２１ａを経て蒸気集束部２３に集められた後、蒸発部１２内から流出する。蒸発部１２から流出した蒸気は蒸気管１３によって凝縮部１４に導かれ、凝縮部１４で凝縮されて作動液１６に戻る。その後、凝縮部１４で生成した作動液１６は、蒸気流路２１ａと作動液流路１７ａとの圧力差によって液管１５内を押し上げられて補助チャンバ１１内に移動する。
【００５３】
以上のようにして、ループ型ヒートパイプ１０は、作動流体を蒸発と凝縮を繰り返しつつ循環させることで、蒸発部１２側の熱を凝縮部１４側に輸送する。
【００５４】
以上説明したように、本実施形態に係るループ型ヒートパイプ１０は、凝縮器の前後に相転移温度より下の温度で水分を吸収し、相転移温度より上の温度で水分を放出する樹脂材料からなる温度応答性の開閉バルブを設けている。こうした構成により、ループ型ヒートパイプ１０は、コンピュータの発熱量に応じて、指定の凝縮部において、蒸気を液体に相変化させることができ、安定稼動させることが可能となる。また、本ループ型ヒートパイプ１０は、熱輸送特性にも優れる。
【００５５】
図５は、本発明のループ型ヒートパイプを搭載した電子機器を示す。
【００５６】
図５に示すように、電子機器（コンピュータ）８０は、ＣＰＵ等の発熱量の大きな電子部品８５と、電子部品８５が実装された配線基板８１と、外気を取り入れるための冷却ファン８２と、補助記憶装置としてのＨＤＤ（ハードディスクドライブ）８３と、電源部８４とを有する。ループ型ヒートパイプ１０は、配線基板８１の上に実装され、コンデンサ管１４（及びヒートシンク）は、冷却ファン８２の近傍に配置されている。また、ループ型ヒートパイプ１０の蒸発部１２は、サーマルグリス（図示せず）を介して電子部品８５の上面に接合されている。
【００５７】
以上のように構成されたループ型ヒートパイプ１０を適用することにより、電子機器８０は、熱輸送能力が高いので効率のよい冷却が可能となる。また、冷却ファン８２の風量を抑制して電子機器８０の低騒音化や冷却ファン８２の駆動用電力を抑制することが期待される。
【産業上の利用可能性】
【００５８】
本発明は、ループ型ヒートパイプ及びそれを用いた電子機器の技術分野に適用される。
【符号の説明】
【００５９】
１０  ループ型ヒートパイプ
１１  補助チャンバ
１２  蒸発部
１３  蒸気管
１４  コンデンサ管（凝縮部）
１５  液管
１６  作動液
１７  ウィック
１７ａ  作動液流路
２０  ヒートブロック
２０ａ  空洞部
２１  蒸発管
２１ａ  蒸気流路
２３  蒸気集束部
８０  電子機器
８１  配線基板
８２  冷却ファン
８３  ＨＤＤ（ハードディクドライブ）
８４  電源部
８５  電子部品
【図２】
0005621404.tif 000002
【図３】
0005621404.tif 000003
【図５】
0005621404.tif 000004
【図１】
0005621404.tif 000005
【図４】
0005621404.tif 000006
【図６】
0005621404.tif 000007